(57)【特許請求の範囲】
【請求項１】
レンズの回転鏡筒の回転によってズームレンズおよびズームファインダを連動駆動するレンズ駆動機構であって、
ズームモータの回転を伝達するためのズーミング用ギヤと、ファインダ光学系を駆動するファインダ駆動用ギヤとを、前記ズーミング用ギヤのモジュールよりも前記ファインダ駆動用ギヤのモジュールを小さく設定して、前記回転鏡筒のレンズ光軸に直交する共通の平面上において前記レンズの光軸に対して略対称となる領域に形成したこと、を特徴とするカメラのレンズ駆動機構。
【請求項２】
前記レンズの光軸を挟んで対向する位置において、前記ズーミング用ギヤには、ズームモータによって駆動されるズーミング用ピニオンが噛み合い、前記ファインダ駆動用ギヤにはファインダをズーミングさせるファインダ駆動用ピニオンが噛み合っている請求項１に記載のカメラのレンズ駆動機構。
【請求項３】
前記回転鏡筒は、回転しながら進退動してズーミングさせるカム環である請求項１または２に記載のカメラのレンズ駆動機構。
【請求項４】
前記回転鏡筒は、外周面に形成された多重ヘリコイドが、カメラの固定鏡筒内周面に形成された多重ヘリコイドに噛み合い、前記ズーミング用ギヤおよびファインダ駆動用ギヤは、前記多重ヘリコイドのねじ山の間に形成されている請求項１から３のいずれか一項に記載のカメラのレンズ駆動機構。
【請求項５】
レンズの回転鏡筒の回転によってズームレンズおよびズームストロボを連動駆動するレンズ駆動機構であって、
ズームモータの回転を伝達するためのズーミング用ギヤと、ズームストロボの照射角可変機構を駆動する駆動用ギヤとを、前記ズーミング用ギヤのモジュールよりも前記駆動用ギヤのモジュールを小さく設定して、前記回転鏡筒のレンズ光軸に直交する共通の平面上において前記レンズの光軸に対して略対称となる領域に形成したこと、を特徴とするカメラのレンズ駆動機構。
【発明の詳細な説明】
【０００１】
【発明の技術分野】
本発明は、ズームレンズおよびズームファインダあるいはズームストロボなど、複数の機構を同一の回転鏡筒を介して連動駆動するカメラのレンズ駆動機構に関する。
【０００２】
【従来技術およびその問題点】
ズームレンズおよびズームファインダあるいはズームストロボを備えたズームコンパクトカメラが知られている。カム環の回転によってズーミングさせるものでは、カム環にギヤを形成して、そのギヤにモータ側のズーミング用ギヤ（駆動ピニオン）およびズームファインダ駆動機構のファインダ駆動ギヤ（従動ピニオン）を噛み合させていた。このカム環のギヤはズーミング用ギヤおよびフィルムアンダー駆動用ギヤとで共用するか、あるいは同一のモジュールで別個に形成していた。いずれにしても従来は、これらのギヤは共通のモジュールで形成されていた。
【０００３】
ズーミングには大きなトルクが必要なので、ズームモータのピニオンと噛合するギヤは比較的大きなモジュールとしていたので、ズームファインダ駆動機構の駆動ピニオンと噛み合うギヤも、同一のモジュールで形成されていた。そのため、ズームファインダ駆動機構側のモジュールは必要以上に大きくなってしまい、ファインダ駆動ピニオンの径が大きく、中心位置が光軸から離れていた。
【０００４】
図５および図６に、従来の、ズームレンズおよびズームファインダを備えたカメラの要部を示している。図５は、ズームレンズの要部を、光軸で縦断して上半分を示す断面図、図６は、カム環およびピニオンの構成を示す概略正面図である。従来のカメラは、モジュールが同一のズーミング用ピニオン２１′およびファインダ駆動用ピニオン２７′およびこれらのピニオン２１′、２７′が噛み合うギヤ１７′を有するカム環１５′を備えている。なお、ズーミング用ギヤ２１′およびファインダ駆動用ギヤ２７′は、光軸を挟んで反対側に配置されているが、ズーミング用ギヤ２１′およびファインダ駆動用ギヤ２７′の光軸からの距離、歯先円の位置などの比較を容易にするために、図５には、ギヤ２１′、２７′周方向位置をずらして、中心を紙面上に位置させて示してある。
【０００５】
これらの図から明らかなように、従来のカメラは、ピニオン２７′、２１′が光軸Ｏから同一半径内に位置している。つまり、ピニオン２１′、２７′、これらが噛み合うカム環１５′のギヤ１７′のモジュールを同一に設定していた。このモジュールは、十分な強度を得るために、トルク（最大負荷）などの条件に基づいて設定されていたので、ファインダ駆動用ピニオン２７′、その他のギヤは必要以上に大型化していた。
【０００６】
【発明の目的】
本発明は、上記従来のカメラのレンズ駆動機構の問題に鑑みてなされたもので、カメラの小型化を図ることができる、カメラのレンズ駆動機構を提供することを目的とする。
【０００７】
【発明の概要】
この目的を達成する本発明は、レンズの回転鏡筒の回転によってズームレンズおよびズームファインダを連動駆動するレンズ駆動機構であって、ズームモータの回転を伝達するためのズーミング用ギヤと、ファインダ光学系を駆動するファインダ駆動用ギヤとを、前記ズーミング用ギヤのモジュールよりも前記ファインダ駆動用ギヤのモジュールを小さく設定して、前記回転鏡筒のレンズ光軸に直交する共通の平面上において前記レンズの光軸に対して略対称となる領域に形成したことに特徴を有する。
請求項５記載本発明は、レンズの回転鏡筒の回転によってズームレンズおよびズームストロボを連動駆動するレンズ駆動機構であって、ズームモータの回転を伝達するためのズーミング用ギヤと、ズームストロボの照射角可変機構を駆動する駆動用ギヤとを、前記ズーミング用ギヤのモジュールよりも前記駆動用ギヤのモジュールを小さく設定して、前記回転鏡筒のレンズ光軸に直交する共通の平面上において前記レンズの光軸に対して略対称となる領域に形成したことに特徴を有する。
【０００８】
【発明の実施の形態】
以下図面に基づいて本発明を説明する。図１は、本発明を適用した、沈胴式の２群ズームレンズを備えたズームコンパクトカメラの要部を示す正面図である。カメラボディ１１の正面には、中央よりやや右下位置にズームレンズ１３が装着されている。図には、カム環１５のみを示してある。カメラボディ１１の正面上部には、左側から測光素子１２ａ、セルフタイマー表示素子１２ｂ、測距用の発光／受光素子１２ｃ、１２ｄ、ズームファインダ２９およびズームストロボ１２ｅが配置されている。
【０００９】
カム環１５の外周には、ズーミング用ピニオン２１が噛み合うズーミング用ギヤ１７およびファインダ駆動用ピニオン２７が噛み合うファインダ駆動用ギヤ１９が、光軸Ｏを挟む位置に周方向に形成されている。
【００１０】
ズーミング用ピニオン２１には、カメラボディ内に搭載された、駆動源としてのズーミング用モータ２３の回転が、減速ギヤ列２５を介して伝達される。そして、ズーミング用ピニオン２１の回転によりカム環１５が回転駆動される。そして、ズームレンズ１３は、レンズ鏡筒が沈胴位置から撮影可能位置に突出し、撮影可能位置と最も突出した位置との間の撮影領域内においてズーミングし、また撮影可能領域から沈胴位置に引き込まれる。
【００１１】
また、カム環１５の回転によってファインダ駆動用ピニオン２７が回転する。このファインダ駆動用ピニオン２７によってズームファインダ２９の変倍機構が駆動され、ファインダ視野倍率が、ズームレンズ１３の焦点距離（画角）に応じて変動する。
【００１２】
カム環１５のギヤ１７、１９およびピニオン２１、２７の構成を、図２を参照してより詳細に説明する。図２は、カム環およびピニオンの構成を拡大して示す正面図であって、（Ａ）はズーミング用ピニオン２１付近の拡大図、（Ｂ）は、ファインダ駆動用ピニオン２７付近の拡大図である。
【００１３】
ズーミング用ピニオン２１およびズーミング用ギヤ１７のモジュールをＭ１、ファインダ駆動用ピニオン２７およびファインダ駆動用ギヤ１９のモジュールをＭ２とすると、図示実施例では、これらのモジュールＭ１、Ｍ２は、Ｍ１＞Ｍ２となるように設定されている。したがって、ズーミング用ピニオン２１およびズーミング用ギヤ１７のピッチ円半径よりもファインダ駆動用ピニオン２７およびファインダ駆動用ギヤ１９のピッチ円半径の方が小さくなる。
【００１４】
また、ズーミング用ピニオンカム環１５の回転中心（光軸Ｏ）からズーミング用ピニオン２１の軸心までの距離をｒ１、ファインダ駆動用ピニオン２７の軸心までの距離をｒ２とすると、ｒ２＜ｒ１となる。光軸Ｏからズーミング用ピニオン２１の歯先円までの最大半径Ｒ２は、光軸Ｏからファインダ駆動用ピニオン２７の歯先円までの最大半径Ｒ１よりも小さくなる。
この実施例によれば、ズーミング用ピニオン２７を収納する空間が小さくて済み、カメラの小型化を図ることができる。
【００１５】
図３には、カム環１５を展開して示してある。カム環１５の外周面には、所定リードの多重ヘリコイド１８が形成されている。ギヤ１７、１９は、ヘリコイド１８の山を削除して、山と山との間に、光軸Ｏと平行に延びる歯をヘリコイド１８に沿って形成してある。ヘリコイド１８の山およびギヤ１７、１９、ピニオン２１、２７と干渉しないように形成されている。
【００１６】
図４には、本発明を適用したズームレンズシャッタ式カメラのレンズ部の構成を、光軸Ｏで縦断して上半分を示す断端面図である。このレンズシャッタ式カメラは、前群レンズＬ１および後群レンズＬ２を備えた２群ズームレンズである。なお、ズーミング用ギヤ２１およびファインダ駆動用ギヤ２７は、周方向位置をずらして、中心を紙面上に位置させて示してある。
【００１７】
カメラボディ１１の固定部であるハウジング３１の筒状部内には、調整環３３が、光軸Ｏを中心に回動可能に、かつ光軸方向には移動しない状態で嵌合され、固定されている。調整環３３の内周面には多重ヘリコイド３３ａが形成されていて、この多重ヘリコイド３３ａに、カム環１５の外周面に形成された多重ヘリコイド１８が螺合されている。つまりカム環１５は、ズーミングモータ２３によって回転駆動されると、多重ヘリコイド１８、３３ａのリードに従って回転しながら進退動する。
【００１８】
カム環１５の内周面には、多重ヘリコイド２０が形成されていて、この多重ヘリコイド２０に、移動鏡筒３５の外周面に形成された多重ヘリコイド３５ａが螺合されている。移動鏡筒３５内には、シャッタ取付部材３７を介してドーナツ状のシャッタユニット３９が装着され、このシャッタユニット３９の内周に前群レンズＬ１が、前群レンズ保持枠を介してヘリコイド結合されている。この前群レンズＬ１は、ＡＦリング４１によって回転駆動され、ヘリコイドのリードに従って進退動して焦点調節する構成である。
【００１９】
移動鏡筒３５内には、ハウジング３１に固定された直進案内板４７が延出している。この直進案内板４７に、直進案内環４３および直進案内押え４５が回転しないで直進移動するように案内されている。そして、移動鏡筒３５と一体化されたシャッタ取付部材３７は、直進案内環４３に設けられた３本の腕に直進ガイドされている。
【００２０】
シャッタユニット３９の後方には、後群レンズ保持枠４９の保持された後群レンズＬ２が配置されている。後群レンズ保持枠４９は、図示しないが、前方に延びる複数本の腕を介してシャッタ取付部材３７に直進移動可能にガイドされている。さらに後群レンズ保持枠４９の外周には複数本のカムピン５１が所定間隔で突設されていて、このカムピン５１が、カム環１５に形成されたカム溝に嵌合している。
【００２１】
この構成からなるズームレンズ１３は、ズームモータ２３によってズーミング用ピニオン２１が回転駆動されると、カム環１５が回転しながら進退動し、シャッタ取付部材３７が移動鏡筒３５と一体に、直進案内環４３にガイドされて回転しないで進退動する。一方、後群レンズＬ２は、カム環１５のカム溝および直進案内板４７の直進ガイド溝に拘束されて回転しないで進退動し、前群レンズＬ１との間隔を変えてズーミングする。
【００２２】
ここで、図４から明らかなように、ファインダ駆動用ピニオン２７は、ズーミング用ピニオン２１よりも光軸Ｏに接近し、かつ小径であること、つまり、ファインダ駆動用ピニオン２７は、ズーミング用ピニオン２１よりも小さい空間内に収まっていることが分かる。
【００２３】
図５には、従来の、モジュールが同一のズーミング用ピニオン２１′およびファインダ駆動用ピニオン２７′を備えたコンパクトカメラの、図４と同様の断面図を示している。この図から明らかなように、従来のカメラのファインダ駆動用ピニオン２７′は、モジュールがズーミング用ピニオン２１′と同じなので、光軸Ｏから中心までの距離も、歯先円径も同一なので、こらは同一の収容空間が必要であった。
【００２４】
これに対して図４に示した本発明の実施の形態では、ファインダ駆動用ピニオン２７は、ズーミング用ピニオン２１よりも小径であり、小さい空間内に収まるので、ファインダ駆動用ピニオン２７を収容するスペースが小さく、軽量になり、カメラの小型化および軽量化を図ることができる。
【００２５】
以上の図示実施例は、沈胴式の２群ズームレンズに適用した実施例であるが、本発明はこの実施例に限定されないことはいうまでもなく、３群ズームレンズや、単焦点レンズにも適用できる。
また、図示実施例では、ズーミングの際のカム環１５の回転によるズーミングに連動してズームファインダ２９を駆動するレンズ駆動機構を示したが、ズームストロボ１２ｅの照射角可変機構を駆動する機構にも適用できる。
【００２６】
【発明の効果】
以上の説明から明らかな通り本発明は、レンズの回転鏡筒に形成された、駆動源の駆動力を回転鏡筒に伝達するギヤ、および回転鏡筒の回転を他の機構に伝達するギヤのモジュールを各ギヤのトルクに応じて異ならせたので、これらのギヤに噛み合う対応するピニオンのモジュールも異なり、必要な強度を得て、かつ無駄なスペースが不要になり、カメラの小型化および軽量化を図ることができる。
【図面の簡単な説明】
【図１】本発明を適用した、沈胴式の２群ズームレンズを備えたズームコンパクトカメラの実施の形態の要部を示す正面図である。
【図２】同ズームコンパクトカメラのカム環およびピニオンの様子を拡大して示す図であって、（Ａ）はズーミング用ピニオン付近の拡大図、（Ｂ）は、ファインダ駆動用ピニオン付近の拡大図である。
【図３】カム環を展開して示す図である。
【図４】同ズームコンパクトカメラのレンズ部の構成を、ズームレンズの光軸で縦断して上半分を示す断端面図である。
【図５】従来のズームコンパクトカメラのレンズ部の構成を、ズームレンズの光軸で縦断して上半分を示す断端面図である。
【図６】従来のズームコンパクトカメラのカム環およびピニオンの構成を示す正面図である。
【符号の説明】
１１  カメラボディ
１３  ズームレンズ
１５  カム環
１７  ズーミング用ギヤ
１９  ファインダ用ギヤ
２１  ズーミング用ピニオン
２３  ズーミングモータ
２７  ファインダ駆動用ピニオン
２９  ズームファインダ
【図１】
0003980125.tif 000002
【図２】
0003980125.tif 000003
【図３】
0003980125.tif 000004
【図４】
0003980125.tif 000005
【図５】
0003980125.tif 000006
【図６】
0003980125.tif 000007